(57)【要約】      （修正有）【課題】記入票の角の損傷を防ぐ書類ファイルを提供する。【解決手段】書類ファイル１は、折曲辺１４に沿って折り曲げられて四角形をなす四辺が重ねられ、折曲辺に隣り合う接合辺１５に沿って接合された表カバー１１及び裏カバー１２を有する。表カバーは、折曲辺に対向する辺から折曲辺に向かって切り込まれて接合辺の近傍に形成された横縁２１ａと、横縁から接合辺に対向する辺まで切り込まれた縦縁２１ｂと、を有する矩形状に切り欠かれ、表カバーで覆われる記入票の紙面の一部を外部へ露出させる第１切欠部２１を有する。【選択図】図１
0003234397.tif 000002
【実用新案登録請求の範囲】
【請求項１】
折曲辺に沿って折り曲げられて四角形をなす四辺が重ねられ、前記折曲辺に隣り合う接合辺に沿って接合された表カバー及び裏カバーを有し、
前記表カバーは、前記折曲辺に対向する辺から前記折曲辺に向かって切り込まれて前記接合辺の近傍に形成された横縁と、当該横縁から前記接合辺に対向する辺まで切り込まれた縦縁と、を有する矩形状に切り欠かれ、前記表カバーで覆われる記入票の紙面の一部を外部へ露出させる第１切欠部を有することを特徴とする書類ファイル。
【請求項２】
前記表カバーと前記裏カバーとの間に前記裏カバーに重ねて配置される中間カバーを更に有し、
前記中間カバーは、前記折曲辺に対向する辺から前記折曲辺に向かって切り込まれて前記接合辺の近傍に形成された横縁と、当該横縁から前記接合辺に対向する辺まで切り込まれた縦縁と、を有する矩形状に切り欠かれ、前記中間カバーで覆われる記入票の紙面の一部を外部へ露出させる第２切欠部を有し、
前記第１切欠部は、前記第１切欠部の前記横縁が、前記第２切欠部の前記横縁と重なると共に、前記第１切欠部の前記縦縁が、前記第２切欠部の前記縦縁よりも、前記折曲辺側に位置することを特徴とする請求項１に記載の書類ファイル。
【請求項３】
前記第１切欠部の前記縦縁と前記第２切欠部の前記縦縁との間隔は、前記記入票の縦罫線同士の間隔と等しいことを特徴とする請求項２に記載の書類ファイル。
【請求項４】
前記中間カバーの一辺は、前記接合辺に接合されていることを特徴とする請求項２または３に記載の書類ファイル。
【請求項５】
前記第２切欠部の大きさが異なる複数の前記中間カバーを有することを特徴とする請求項２ないし４のいずれか１項に記載の書類ファイル。
【請求項６】
折曲辺に沿って折り曲げられて四角形をなす四辺が重ねられ、前記折曲辺に隣り合う接合辺に沿って接合された表カバー及び裏カバーと、
前記表カバー及び前記裏カバーにおいて、前記接合辺と、前記折曲辺に対向する辺との角部に回動可能に支持され、前記折曲辺に対向する辺を覆う補助カバーと、を有し、
前記表カバーは、記入票が差し込まれる複数の切り込みが、前記折曲辺と対向する辺から前記折曲辺まで前記接合辺に沿って直線状に延びて形成され、前記複数の切り込みが間隔をあけて形成されていることを特徴とする書類ファイル。
【請求項７】
前記表カバーは、複数の記入欄が設けられた前記記入票の各記入欄に対応する着色部分の色が交互に異なるように形成されていることを特徴とする請求項１ないし６のいずれか１項に記載の書類ファイル。
【考案の詳細な説明】
【技術分野】
【０００１】
本考案は、書類ファイルに関する。
【背景技術】
【０００２】
例えば、物品の納品時等に、チェック票や生産管理票等の記入票に物品の個数等を記入する確認作業が行われることが知られている。このような確認作業では、いわゆるクリアファイルである書類ファイルに記入票が収容されて取り扱われることがあり、記入票に記入する都度、書類ファイルに対して記入票の出し入れが行われる。
【先行技術文献】
【特許文献】
【０００３】
【特許文献１】実用新案登録第３１９２２５９号公報
【特許文献２】実用新案登録第３２１２９９８号公報
【考案の概要】
【考案が解決しようとする課題】
【０００４】
上述のように確認作業は、書類ファイルに対して記入票を出し入れすると共に記入票に記入するときに、記入票の四隅の角が書類ファイル内や手に衝突して折れ曲がったり、角が破れたりするおそれがある。また、例えば、作業者が防護服や手甲を着用したときに記入票を出し入れする取り扱い難しくなり、特に手の動作が不自由な障碍者が書類ファイルに記入票を出し入れする際には、例えば、記入票の角が衣服の袖等に引っ掛かり易く、記入票の角を損傷するおそれが高くなる。
【０００５】
１つの面では、本考案は、記入票の角の損傷を防ぐことができる書類ファイルを提供することを目的とする。
【課題を解決するための手段】
【０００６】
第１の案では、書類ファイルは、表カバー及び裏カバーを有する。表カバー及び裏カバーは、折曲辺に沿って折り曲げられて四角形をなす四辺が重ねられ、折曲辺に隣り合う接合辺に沿って接合される。表カバーは、表カバーで覆われる記入票の紙面の一部を外部へ露出させる第１切欠部を有する。第１切欠部は、横縁と、縦縁と、を有する矩形状に切り欠かれる。横縁は、折曲辺に対向する辺から折曲辺に向かって切り込まれて接合辺の近傍に形成される。縦縁は、横縁から接合辺に対向する辺まで切り込まれる。
【考案の効果】
【０００７】
記入票の角の損傷を防ぐことができる。
【図面の簡単な説明】
【０００８】
【図１】図１は、実施例１の書類ファイルを示す正面図である。
【図２】図２は、実施例１の書類ファイルに記入票が収容された状態を説明するための正面図である。
【図３】図３は、実施例２の書類ファイルを示す正面図である。
【図４】図４は、実施例２の書類ファイルを示す斜視図である。
【図５】図５は、実施例２の書類ファイルに記入票が収容された状態を説明するための正面図である。
【図６】図６は、実施例２の書類ファイルに記入票が収容された別の状態を説明するための正面図である。
【図７】図７は、実施例３の書類ファイルを示す正面図である。
【図８】図８は、実施例３の書類ファイルにおける補助カバーが回動した状態を示す正面図である。
【図９】図９は、実施例３の書類ファイルを示す斜視図である。
【図１０】図１０は、実施例３の書類ファイルに記入票が収容された状態を説明するための正面図である。
【図１１】図１１は、実施例３の書類ファイルに記入票が収容された別の状態を説明するための正面図である。
【図１２】図１２は、実施例４の書類ファイルを示す正面図である。
【図１３】図１３は、実施例４の書類ファイルに記入票が収容された状態を説明するための正面図である。
【考案を実施するための形態】
【０００９】
以下に、本考案の開示する書類ファイルの実施例を図面に基づいて詳細に説明する。なお、以下の実施例によって、本考案の開示する書類ファイルが限定されるものではない。
【実施例１】
【００１０】
図１は、実施例１の書類ファイルを示す正面図である。図１に示すように、実施例１の書類ファイル１は、表カバー１１及び裏カバー１２を有する。表カバー１１及び裏カバー１２は、折曲辺１４に沿って折り曲げられて四角形をなす四辺が重ねられている。表カバー１１及び裏カバー１２は、折曲辺１４に隣り合う接合辺１５が、接合辺１５に沿って溶着されることで接合されている。また、表カバー１１と裏カバー１２において、折曲辺１４に対向する辺１６と、接合辺１５に対向する辺１７は、表カバー１１と裏カバー１２を分離可能に重ねられている。
【００１１】
表カバー１１は、表カバー１１で覆われる記入票６の紙面の一部を外部へ露出させる第１切欠部としての切欠部２１を有する。切欠部２１は、横縁２１ａと、縦縁２１ｂと、を有する矩形状に切り欠かれる。切欠部２１の横縁２１ａは、折曲辺１４に対向する辺１６から折曲辺１４に向かって切り込まれて接合辺１５の近傍に形成される。切欠部２１の縦縁２１ｂは、横縁２１ａから接合辺１５に対向する辺１７まで切り込まれる。
【００１２】
本実施例の書類ファイル１は、いわゆるクリアファイルであり、表カバー１１と裏カバー１２との間に記入票６が挟みこまれて収容される。記入票６は、上辺、下辺、左辺、右辺を有する四角形に形成されており、四隅に角７を有する。（図２参照）。記入票６は、複数の縦罫線８ａ及び複数の横罫線８ｂが交差して区切られた複数の記入欄８ｃを有しており、各記入欄８ｃに記入される。書類ファイル１に収容される書類としては、記入票６に限定されず、作業者による記入作業を伴わない確認票等を含む各種書類に適用されてもよい。
【００１３】
本実施例における書類ファイル１は、記入票６の縦方向に沿って折曲辺１４が形成され、記入票６の横方向に沿って接合辺１５が形成されるが、この構造に限定されず、記入票６の縦方向と横方向における折曲辺１４と接合辺１５の位置が入れ替わってもよい。表カバー１１には、切欠部２１の横縁２１ａの下方に、例えば、記入票６における記入欄８ｃの下方に設けられた余白部分８ｄの高さと同程度の高さの枠部分１１ａが設けられている。また、切欠部２１の横縁２１ａの長さは、例えば、接合辺１５の長さの１／２よりも小さく形成されている。
【００１４】
（実施例１の書類ファイルの使用）
以上のように構成された書類ファイル１が使用される状態について説明する。図２は、実施例１の書類ファイル１に記入票６が収容された状態を説明するための正面図である。
【００１５】
図２に示すように、書類ファイル１は、表カバー１１に切欠部２１が形成されることにより、表カバー１１と裏カバー１２との間に記入票６を容易に差し込めると共に、表カバー１１の枠部分１１ａによって記入票６の下辺の両側の角７を容易に覆うことができる。このため、書類ファイル１は、記入票６の取り扱い時の角７の損傷を防ぐことができる。
また、書類ファイル１に記入票６が収容された状態で、記入票６の記入欄８ｃが切欠部２１から書類ファイル１の外側に露出するので、書類ファイル１から記入票６を取り出すことなく記入欄８ｃに記入することできる。このため、書類ファイル１は、記入欄８ｃへの記入時に角７が損傷することを防げる。
【００１６】
また、表カバー１１で覆われた記入欄８ｃに記入する場合には、切欠部２１内に露出する記入票６の紙面を摘まんで、折曲辺１４に対向する辺１６側へ記入欄８ｃの幅だけ移動させることで、表カバー１１で覆われた記入欄８ｃを切欠部２１内に移動させ、この記入欄８ｃに記入することができる。したがって、記入票６の記入欄８ｃに記入する際に記入票６を書類ファイル１から取り出す頻度を減らせるので、記入票６の角７の損傷を防ぐことができる。
【００１７】
なお、作業者として手足の動作が不自由な障碍者が書類ファイル１を用いて記入票６に記入する作業を行う場合、例えば、机の上に書類ファイル１が置かれ、作業者は着座した状態で、書類ファイル１の切欠部２１から露出する記入票６の記入欄８ｃに記入する。
【００１８】
（実施例１の効果）
上述した実施例１の効果を説明する。実施例１の書類ファイル１の表カバー１１は、折曲辺１４に対向する辺１６から折曲辺１４に向かって切り込まれて接合辺１５の近傍に形成された横縁２１ａと、横縁２１ａから接合辺１５に対向する辺１７まで切り込まれた縦縁２１ｂと、を有する矩形状に切り欠かれ、表カバー１１で覆われる記入票６の紙面の一部を外部へ露出させる切欠部２１を有する。これにより、書類ファイル１に記入票６が収容された状態で、切欠部２１から露出された記入欄８ｃに記入することが可能になり、書類ファイル１に対して記入票６が出し入れされる頻度が減る。その結果、書類ファイル１に対して記入票６を出し入れする際に記入票６の角７が損傷することを防ぐことができる。そして、特に手の動作が不自由な障碍者が書類ファイル１に記入票６を出し入れする際に、例えば、記入票６の角７が衣服の袖等に引っ掛かることで角７を損傷することを防げる。
【００１９】
以下、他の実施例について図面を参照して説明する。他の実施例において、実施例１と同一の構成部材には、実施例１と同一の符号を付して説明を省略する。
【実施例２】
【００２０】
図３は、実施例２の書類ファイルを示す正面図である。図４は、実施例２の書類ファイルを示す斜視図である。図３及び図４に示すように、実施例２の書類ファイル２は、中間カバー１３を更に有する点が、実施例１と異なる。
【００２１】
図３及び図４に示すように、実施例２の書類ファイル２は、表カバー１１及び裏カバー１２と、表カバー１１と裏カバー１２との間に裏カバー１２に重ねて配置される中間カバー１３と、を有する。表カバー１１は、表カバー１１で覆われる記入票６の紙面の一部を外部へ露出させる第１切欠部２１を有する。中間カバー１３は、表カバー１１と同様に、中間カバー１３で覆われる記入票６の紙面の一部を外部へ露出させる第２切欠部２２を有する。
【００２２】
第２切欠部２２は、横縁２２ａと、縦縁２２ｂと、を有する矩形状に切り欠かれる。第２切欠部２２の横縁２２ａは、折曲辺１４に対向する辺１６から折曲辺１４に向かって切り込まれて接合辺１５の近傍に形成される。第２切欠部２２の縦縁２２ｂは、横縁２１ａから接合辺１５に対向する辺１７まで切り込まれる。
【００２３】
中間カバー１３には、表カバー１１の枠部分１１ａと同様に、第２切欠部２２の横縁２２ａの下方に、例えば、記入票６における余白部分８ｄの高さと同程度の高さの枠部分１３ａが設けられている。なお、中間カバー１３の第２切欠部２２は、縦縁２２ｂが接合辺１５まで延びて形成されることで、枠部分１３ａを有さない形状に形成されてもよく、この構造であっても実施例２と同様の効果が得られる。
【００２４】
第１切欠部２１は、第１切欠部２１の横縁２１ａが、第２切欠部２２の横縁２２ａと重なると共に、第１切欠部２１の縦縁２１ｂが、第２切欠部２２の縦縁２２ｂよりも、折曲辺１４側に位置する。すなわち、第１切欠部２１の横縁２１ａは、第２切欠部２２の横縁２２ａよも長くされている。例えば、第１切欠部２１の横縁２１ａの長さが、接合辺１５の長さの１／２よりも大きく、第２切欠部２２の横縁２２ａの長さが、接合辺１５の長さの１／２よりも小さく形成されている。このため、中間カバー１３によって覆われる記入票６の紙面は、表カバー１１によって覆われる記入票６の紙面よりも多くなるように形成されている。
【００２５】
また、第１切欠部２１の縦縁２１ｂと第２切欠部２２の縦縁２２ｂとの間隔は、記入票６の縦罫線８ａ同士の間隔と等しくされてもよい。これにより、中間カバー１３と裏カバー１２との間に差し込まれた記入票６を、表カバー１１と中間カバー１３との間に差し込むことで、中間カバー１３で覆われていた記入欄８ｃを表カバー１１の第１切欠部２１から露出させ、この記入欄８ｃに記入することが可能になる。
【００２６】
また、記入票６の紙面を覆う中間カバー１３の位置がずれないように、中間カバー１３の一辺である下辺は、接合辺１５に接合されており、書類ファイル２に中間カバー１３が固定されている。なお、この構造に限定されず、中間カバー１３は折曲辺１４に接合されてもよい。
【００２７】
（実施例２の書類ファイルの使用）
以上のように構成された書類ファイル２が使用される状態について説明する。図５は、実施例２の書類ファイル２に記入票６が収容された状態を説明するための正面図である。
【００２８】
図５に示すように、書類ファイル２は、中間カバー１３に第２切欠部２２が形成されることにより、中間カバー１３と裏カバー１２との間に記入票６を容易に差し込めると共に、中間カバー１３の枠部分１３ａによって記入票６の下辺の両側の角７を容易に覆うことができる。このため、書類ファイル２は、記入票６の取り扱い時の角７の損傷を防ぐことができる。また、書類ファイル２は、中間カバー１３と裏カバー１２との間に記入票６が収容された状態で、記入票６の記入欄８ｃが第２切欠部２２から書類ファイル１の外側に露出するので、書類ファイル２から記入票６を取り出すことなく記入欄８ｃに記入することできる。このため、書類ファイル２は、記入欄８ｃへの記入時に角７が損傷することを防げる。
【００２９】
図６は、実施例２の書類ファイル２に記入票６が収容された別の状態を説明するための正面図である。図５及び図６に示すように、書類ファイル２は、中間カバー１３と裏カバー１２との間に差し込まれた記入票６が、表カバー１１と中間カバー１３との間に差し込まれることにより、中間カバー１３で覆われていた記入票６の記入欄８ｃを表カバー１１の第１切欠部２１から露出させ、この記入欄８ｃに記入することが可能になる。また、図６に示すように、書類ファイル２は、表カバー１１に第１切欠部２１が形成されることにより、表カバー１１と中間カバー１３との間に記入票６を容易に差し込めると共に、表カバー１１の枠部分１１ａによって記入票６の下辺の両側の角７を容易に覆うことができる。このため、書類ファイル２は、記入票６の取り扱い時の角７の損傷を防ぐことができる。
【００３０】
また、書類ファイル２においても、表カバー１１や中間カバー１３で覆われた記入欄８ｃに記入する場合、第１切欠部２１内に露出する記入票６の紙面や、第２切欠部２２内に露出する記入票６の紙面を摘まんで、折曲辺１４に対向する辺１６側へ記入欄８ｃの幅だけ移動させることで、表カバー２１や中間カバー１３で覆われた記入欄８ｃを第１切欠部２１内や第２切欠部２２内に移動させ、この記入欄８ｃに記入することができる。したがって、記入票６の記入欄８ｃに記入する際に記入票６を書類ファイル２から取り出す頻度を減らせるので、記入票６の角７の損傷を防ぐことができる。
【００３１】
（実施例２の効果）
上述した実施例２の効果を説明する。実施例２の書類ファイル２は、第２切欠部２２を有する中間カバー１３を有しており、表カバー１１の第１切欠部２１の横縁２１ａが、中間カバー１３の第２切欠部２２の横縁２２ａと重なると共に、第１切欠部２１の縦縁２１ｂが、第２切欠部２２の縦縁２２ｂよりも、折曲辺１４側に位置する。これにより、中間カバー１３と裏カバー１２との間に差し込まれた記入票６が、表カバー１１と中間カバー１３との間に差し込まれることにより、中間カバー１３で覆われていた記入票６の記入欄８ｃを表カバー１１の第１切欠部２１から露出させ、この記入欄８ｃに記入することが可能になる。
【００３２】
また、実施例２においても、実施例１と同様に、書類ファイル２に記入票６が収容された状態で、第１切欠部２１または第２切欠部２２から露出された記入欄８ｃに記入することが可能になり、書類ファイル２に対して記入票６が出し入れされる頻度が減る。その結果、書類ファイル２に対して記入票６を出し入れする際に記入票６の角７が損傷することを防ぐことができる。そして、特に手の動作が不自由な障碍者が書類ファイル２に記入票６を出し入れする際に、例えば、記入票６の角７が衣服の袖等に引っ掛かることで角７を損傷することを防げる。
【００３３】
また、実施例２の書類ファイル２は、表カバー１１の第１切欠部２１の縦縁２１ｂと、中間カバー１３の第２切欠部２２の縦縁２２ｂとの間隔が、記入票６の縦罫線８ａ同士の間隔と等しい。これにより、中間カバー１３と裏カバー１２との間に差し込まれた記入票６を、表カバー１１と中間カバー１３との間に差し込むことで、中間カバー１３で覆われていた記入欄８ｃを表カバー１１の第１切欠部２１から露出させ、この記入欄８ｃに記入することが可能になる。
【００３４】
また、実施例２の書類ファイル２は、中間カバー１３の一辺が、接合辺１５に接合されている。これにより、書類ファイル２に中間カバー１３が固定されるので、記入票６の紙面を覆う中間カバー１３の位置ずれを防ぐことができる。
【００３５】
また、図示しないが、実施例２の書類ファイル２は、第２切欠部２２の大きさが異なる複数種類の中間カバー１３を有してもよい。この場合、複数種類の中間カバー１３は、第２切欠部２２の縦縁２２ｂの位置が互いに異なる。このように複数種類の中間カバー１３を有することにより、書類ファイル２に記入票６を差し込む位置を変えることで、記入票６の紙面を露出させる範囲を容易に変化させることができる。この場合、例えば、記入票６の横方向に並ぶ記入欄８ｃの列ごとに書類ファイル２に記入票６を差し込む位置を変えることで、書類ファイル２に記入票６が収容された状態で各列の記入欄８ｃに記入することが可能になる。また、例えば、書類ファイル２において複数種類の記入票６を用いる場合、複数種類の中間カバー１３の色を異ならせることで、中間カバー１３の色を目印として複数種類の記入票６の各々の差し込み位置を認識し易くすることができる。
【実施例３】
【００３６】
図７は、実施例３の書類ファイルを示す正面図である。図８は、実施例３の書類ファイルにおける補助カバーが回動した状態を示す正面図である。図９は、実施例３の書類ファイルを示す斜視図である。図７及び図８に示すように、実施例３の書類ファイル３は、補助カバー２３を有する点が、実施例１、２と異なる。
【００３７】
図７、図８及び図９に示すように、実施例３の書類ファイル３は、表カバー１１及び裏カバー１２と、表カバー１１の一部及び裏カバー１２の一部を覆う補助カバー２３と、を有する。補助カバー２３は、表カバー１１及び裏カバー１２において、接合辺１５と、折曲辺１４に対向する辺１６との角部２４に回動可能に支持されており、折曲辺１４に対向する辺１６を覆う。
【００３８】
補助カバー２３は、図９に示すように、折曲辺２３ｃに沿って折り曲げられて重ねられる表補助カバー２３ａと裏補助カバー２３ｂを有する帯状に形成されている。補助カバー２３は、表補助カバー２３ａが表カバー１１の外側から表カバー１１を覆うと共に、裏補助カバー２３ｂが裏カバー１２の外側から裏カバー１２を覆うことで、表カバー１１及び裏カバー１２における折曲辺１４に対応する辺１６を内側に収容する。また、補助カバー２３は、角部２４側の一端部が、鳩目等の環状金具２６を介して角部２４に回動可能に支持されており、図７及び図８に示すように、折曲辺１４に対応する辺１６を覆う位置と、この辺１６から離れた位置とに回動される。
【００３９】
書類ファイル３の表カバー１１は、図７、図８及び図９に示すように、記入票６が差し込まれる複数の切り込みとしての第１切り込み３１及び第２切り込み３２が、折曲辺１４と対向する辺１６から折曲辺１４まで接合辺に沿って直線状に延びて形成されている。第２切り込み３２は、第１切り込み３１よりも接合辺１５側に位置する。
【００４０】
第１切り込み３１と第２切り込み３２は、間隔をあけて形成されている。この間隔は、例えば、記入票６の記入欄８ｃの幅と等しくされてもよい。これにより、第１切り込み３１に差し込まれた記入票６を、第２切り込み３２に差し込むことで、表カバー１１で覆われていた記入欄８ｃを表カバー１１の外側に露出させ、この記入欄８ｃに記入することが可能になる。
【００４１】
なお、実施例３では、表カバー１１が第１切り込み３１及び第２切り込み３２を有するが、切り込みの個数を限定するものではなく、必要に応じて３つ以上の切り込みが互いに間隔Ｄをあけて設けられてもよい。
【００４２】
（実施例３の書類ファイルの使用）
以上のように構成された書類ファイル３が使用される状態について説明する。図１０は、実施例３の書類ファイル３に記入票６が収容された状態を説明するための正面図である。本実施例３の書類ファイル３では、一例として、第１切り込み３１が記入票６を差し込むために用いられ、第２切り込み３２が、記入票６とは別の記入票６Ａを差し込むために用いられる。なお、書類ファイル３は、第１切り込み３１に差し込まれた記入票６が、第２切り込み３２に差し込まれて用いられてもよい。
【００４３】
図１０に示すように、実施例３の書類ファイル３は、表カバー１１の第１切り込み３１に記入票６が差し込まれて、補助カバー２３が環状金具２６を中心として回動されることにより、補助カバー２３によって記入票６の下辺の両側の角７を容易に覆うことができる。このため、書類ファイル３は、記入票６の取り扱い時の角７の損傷を防ぐことができる。また、書類ファイル３は、表カバー１１の第１切り込み３１に記入票６が収容された状態で、記入票６の記入欄８ｃが表カバー１１の外側に露出するので、書類ファイル３から記入票６を取り出すことなく記入欄８ｃに記入することできる。このため、書類ファイル３は、記入欄８ｃへの記入時に角７が損傷することを防げる。また、補助カバー２３を角部２４に対して回動させることで、表カバー１１の第１切り込み３１に差し込まれた記入票６Ａを書類ファイル３から容易に引き出すことができる。
【００４４】
図１１は、実施例３の書類ファイル３に記入票６Ａが収容された別の状態を説明するための正面図である。記入票６とは別の記入票６Ａを用いる場合、図１１に示すように、書類ファイル３は、第２切り込み３２に記入票６Ａが差し込まれることにより、記入票６Ａの記入欄８ｃを表カバー１１の外側に露出させ、この記入欄８ｃに記入することが可能になる。
【００４５】
（実施例３の効果）
上述した実施例３の効果を説明する。実施例３の書類ファイル３は、表カバー１１及び裏カバー１２において、接合辺１５と、折曲辺１４に対向する辺１６との角部２４に回動可能に支持されて、折曲辺１４に対向する辺１６を覆う補助カバー２３を有する。表カバー１１は、記入票６が差し込まれる第１切り込み３１及び第２切り込み３２が、折曲辺１４と対向する辺１６から折曲辺１４まで接合辺１５に沿って直線状に延びて形成され、第１切り込み３１と第２切り込み３２が間隔をあけて形成されている。これにより、表カバー１１の第１切り込み３１及び第２切り込み３２に差し込まれた記入票６、６Ａの下辺の両側の角７を、補助カバー２３によって容易に覆うことができるので、記入票６、６Ａの取り扱い時の角７の損傷を防ぐことができる。
【００４６】
また、実施例３においても、実施例２と同様に、表カバー１１の第１切り込み３１及び第２切り込み３２に記入票６、６Ａを差し込むことで、表カバー１１の外側に露出された記入票６、６Ａの記入欄８ｃに記入することが可能になり、書類ファイル３に対して記入票６、６Ａが出し入れされる頻度が減る。その結果、書類ファイル３に対して記入票６、６Ａを出し入れする際に記入票６、６Ａの角７が損傷することを防ぐことができる。そして、特に手の動作が不自由な障碍者が書類ファイル３に記入票６、６Ａを出し入れする際に、例えば、記入票６、６Ａの角７が衣服の袖等に引っ掛かることで角７を損傷することを防げる。
【実施例４】
【００４７】
図１２は、実施例４の書類ファイルを示す正面図である。図１２に示すように、実施例４の書類ファイル４は、表カバー１１に色調の異なる着色部分３５が交互に形成されている点が、実施例３と異なる。実施例４の基本構造は、実施例３と同一であるので、実施例３と同一の構造には実施例３と同じ符号を付けて説明を省略する。
【００４８】
書類ファイル４の表カバー１１には、表カバー１１で覆われる記入票６の各記入欄８ｃに対応する着色部分３５における色の濃淡や明暗等の色調が、表カバー１１の縦方向において交互に異なるように形成されている。
【００４９】
（実施例４の書類ファイルの使用）
以上のように構成された書類ファイル４が使用される状態について説明する。図１３は、実施例４の書類ファイル４に記入票６が収容された状態を説明するための正面図である。
【００５０】
図１３に示すように、実施例４の書類ファイル４は、上述した実施例３と同様に、表カバー１１の第１切り込み３１に記入票６が差し込まれたとき、表カバー１１の縦方向において、記入票６の各記入欄８ｃに対応する各着色部分３５の色調が交互に異なることで、この色調の違いを利用して、表カバー１１の外側に露出した各記入欄８ｃの縦方向の位置を認識し易くなる。
【００５１】
なお、図示しないが、上述した実施例１、２においても、本実施例４と同様に、表カバー１１に、色調が交互に異なる着色部分３５が設けられてもよく、実施例４と同様の効果が得られる。
【００５２】
（実施例４の効果）
上述した実施例４の効果を説明する。実施例４の書類ファイル４の表カバー１１は、記入票６の各記入欄８ｃに対応する着色部分３５の色が交互に異なるように形成される。これにより、記入票６の各記入欄８ｃに対応する着色部分３５の色の違いを利用して、表カバー１１の外側に露出した各記入欄８ｃの位置を認識し易くできる。このため、記入欄８ｃへの記入時に、次に記入する記入欄８ｃの位置を見つけ易くなり、記入票６を用いた作業性を高めることができる。
【符号の説明】
【００５３】
１  書類ファイル
６  記入票
７  角
８ａ  縦罫線
８ｃ  記入欄
１１  表カバー
１２  裏カバー
１３  中間カバー
１４  折曲辺
１５  接合辺
１６  折曲辺に対向する辺
１７  接合辺に対向する辺
２１  切欠部、第１切欠部
２１ａ  横縁
２１ｂ  縦縁
２２  第２切欠部
２２ａ  横縁
２２ｂ  縦縁
２３  補助カバー
２４  角部
３１  第１切り込み
３２  第２切り込み
３５  着色部分
【図１】
0003234397.tif 000003
【図２】
0003234397.tif 000004
【図３】
0003234397.tif 000005
【図４】
0003234397.tif 000006
【図５】
0003234397.tif 000007
【図６】
0003234397.tif 000008
【図７】
0003234397.tif 000009
【図８】
0003234397.tif 000010
【図９】
0003234397.tif 000011
【図１０】
0003234397.tif 000012
【図１１】
0003234397.tif 000013
【図１２】
0003234397.tif 000014
【図１３】
0003234397.tif 000015